(57)【要約】      （修正有）【課題】衝撃解錠阻止機構を備えた磁気カ−ド錠を提供する。【解決手段】錠の内部に挿入され、磁気コ−ドを持つキ−により施錠位置から解錠位置まで動かされるスライド部材と、スライド部材をロックする第一位置からキ−操作によりスライド部材のロック状態を解除する第二位置へ動くことのできる複数の磁石ピンと、スライド部材が施錠位置にあるとき、磁石ピンの先端部を受け入れる複数の穴を有するロッキングプレ−トと、錠が打撃されたときに、少なくとも一つの磁石ピンを保持する係止手段と、カバ−プレ−トと、そのカバ−プレ−トとの間にカ−ドキ−が挿入される磁気シ−ルドプレ−トとから成り、正しいカ−ドキ−が挿入されると、磁石ピンがロッキングプレ−トの穴からはづれてスライド部材内に収納され、カ−ドキ−の移動によりスライド部材がばね力に逆らって施錠位置から解錠位置まで動かされる。【選択図】図３
2005226300.tif 000002
【特許請求の範囲】
【請求項１】
錠の内部に挿入され、符号化された磁気コ−ドを持つキ−を使用して施錠位置から解錠位置まで動かされることのできるスライド部材と、前記スライド部材の移動方向に対して直交する方向に、先端がスライド部材を越えて位置してスライド部材をロックする第一位置からキ−操作によりスライド部材のロック状態を解除する第二位置へ動くことのできる共にスライド部材のピン収納穴の深さにほぼ一致する長さを有する複数の磁石ピンと、スライド部材に沿って設けられ、スライド部材が施錠位置にあるとき、位置と極性が施錠のためのコ−ドを形成する磁石ピンの先端部を受け入れる複数の穴を有するロッキングプレ−トと、錠が打撃されたときに、少なくとも一つの磁石ピンの先端がロッキングプレ−トの対応する穴から抜け出ることを機械的に阻止するように少なくとも一つの磁石ピンを保持する係止手段と、ロッキングプレ−トと並んで配置されてロッキングプレ−トの複数の穴と対応する箇所の中心部に突起を有するカバ−プレ−トと、そのカバ−プレ−トとの間にカ−ドキ−を挿入する磁気シ−ルドプレ−トとから成り、正しいカ−ドキ−が挿入されると、磁石ピンがロッキングプレ−トの穴からはづれてスライド部材内に収納されるので、カ−ドキ−の移動によりスライド部材がばね力に逆らって施錠位置から解錠位置まで動かされることを特徴とする衝撃解錠阻止機構を備える磁気カ−ド錠。
【請求項２】
スライド部材の複数の磁石ピンを収納する穴は同じ大きさと同じ形状であることを特徴とする請求項１に記載の衝撃解錠阻止機構を備える磁気カ−ド錠
【請求項３】
スライド部材の複数の磁石ピンを収納する穴に水抜き溝を設けたことを特徴とする請求項１或いは請求項２に記載の衝撃解錠阻止機構を備える磁気カ−ド錠
【請求項４】
スライド部材の複数の磁石ピンを収納する穴の上部分には、その穴の径より大きい空間を設けたことを特徴とする請求項１乃至請求項３のいづれか一項に記載の衝撃解錠阻止機構を備える磁気カ−ド錠
【請求項５】
スライド部材の複数の磁石ピンを収納する穴の底に、突起を設けたことを特徴とする請求項１乃至請求項４のいづれか一項に記載の衝撃解錠阻止機構を備える磁気カ−ド錠
【発明の詳細な説明】
【技術分野】
【０００１】
この発明は、強い衝撃によって解錠せれることが阻止されるような衝撃解錠阻止機構を備える磁気カ−ド錠に関する。
【背景技術】
【０００２】
カ−ドキ−操作による磁気錠は、壁又はドアの内部に組み込まれるように設計されていて、キ−は同一面に形成された前面プレ−トのスロットに挿入されるようになっているものである。スロット或いは壁又はドアの表面に衝撃を加えても、磁気ピンはカ−ドスロットの面に対して直交する方向に動くため、めったに解除されることはなかったが、同じ錠が箱に納められて壁の表面に取り付ける場合や、駐車場の入り口の柱などに取り付ける場合には、錠の頭部に衝撃を加えることが可能であり、強い打撃を加えることにより磁気ピンを上下に揺らすことができる。仮に衝撃を与えながら、カ−ドキ−の形状のものを挿入すると、ときには錠が解除されることも起き得る。
【０００３】
これら衝撃を加えるなどの不正解錠操作に対してタンブラ−ピンを収容するスライダの動きを止めることにより錠を施錠状態のままに維持する耐衝撃性の非磁気ピンを利用した錠手段（例えば、特許文献１参照）や、錠がその前面をロックピンに真直ぐな方向に打撃を加えられた場合にスライダの動きを止めるためにの磁気ピンを使用方法（例えば、特許文献２参照）なども、開発されている。更に、カ−ド読取装置本体に振動を与えても、磁性ピンの形状を工夫して凹部からの離脱させない考案（例えば、特許文献３参照）も知られている。更には、例え錠が打撃されても、先端部をロッキングプレ−トから外れる位置に移動させる符号化したキ−が錠に挿入されない限り、スライド部材が施錠位置から解錠位置に向けて付勢される時に、常に先端部が使用中の施錠位置から横方向に移動すことが阻止されるように磁気ピンの少なくとも一つが支持される磁気キ−により操作される錠（例えば、特許文献４参照）が開発されていて、ロッキングプレ−トの開口部の周辺は傾斜された勾配を備えていて磁気ピンがコアスライドの孔にスム−ズに挿入されて、ヘッドフランジがロッキングプレ−トの開口部に設置される解錠阻止機構（例えば、特許文献５参照）も知られている。
【０００４】
しかし、この錠には、雨水が錠にかかった場合には、磁気ピン先端がカバ−プレ−トの表面に付着したり、スライドコア部材の穴にある雨水にて磁力を弱めたりして、ピンの作動を困難にすることもあった。
【特許文献１】米国特許第３７０５２７７号明細書
【特許文献２】米国特許第３９９５４６０号明細書
【特許文献３】実開平１−９２４７６号公報のマイクロフィルム
【特許文献４】日本特許第２８１６０２５号明細書
【特許文献５】韓国特許公開１９９５年第１４１１号公報明細書
【発明の開示】
【発明が解決しようとする課題】
【０００５】
この発明の課題は、例え錠が打撃されても、常に先端部が使用中の施錠位置から横方向に移動すことが阻止されるように磁気ピンの少なくとも一つが保持される磁気キ−操作錠において、雨水などが錠に作用しても、磁気ピンのスム−ズな作動を可能とし、更にはスライドコア部材の複数の穴に少なくとも一つの特定磁気ピンを自由に適宜な箇所に設定できる衝撃解錠阻止機構を備える磁気カ−ド錠を提供することである。
【課題を解決するための手段】
【０００６】
この発明の課題は、錠の内部に挿入され、符号化された磁気コ−ドを持つキ−を使用して施錠位置から解錠位置まで動かされることのできるスライド部材と、前記スライド部材の移動方向に対して直交する方向に、先端がスライド部材を越えて位置してスライド部材をロックする第一位置からキ−操作によりスライド部材のロック状態を解除する第二位置へ動くことのできる共にスライド部材のピン収納穴の深さにほぼ一致する長さを有する複数の磁石ピンと、スライド部材に沿って設けられ、スライド部材が施錠位置にあるとき、位置と極性が施錠のためのコ−ドを形成する磁石ピンの先端部を受け入れる複数の穴を有するロッキングプレ−トと、錠が打撃されたときに、少なくとも一つの磁石ピンの先端がロッキングプレ−トの対応する穴から抜け出ることを機械的に阻止するように少なくとも一つの磁石ピンを保持する係止手段と、ロッキングプレ−トと並んで配置されてロッキングプレ−トの複数の穴と対応する箇所の中心部に突起を有するカバ−プレ−トと、そのカバ−プレ−トとの間にカ−ドキ−を挿入する磁気シ−ルドプレ−トとから成り、正しいカ−ドキ−が挿入されると、磁石ピンがロッキングプレ−トの穴からはづれてスライド部材内に収納されるので、カ−ドキ−の移動によりスライド部材がばね力に逆らって施錠位置から解錠位置まで動かされることを特徴とする衝撃解錠阻止機構を備える磁気カ−ド錠によって、解決される。
【０００７】
この請求項２に記載された発明は、スライド部材の複数の磁石ピンを収納する穴は同じ大きさと同じ形状であることを特徴とし、スライドコア部材の複数の穴に少なくとも一つの特定磁気ピンを自由に適宜な箇所に設定できる取り扱い易い衝撃解錠阻止機構を備える磁気カ−ド錠を提供する。
【０００８】
この請求項３に記載された発明は、スライド部材の複数の磁石ピンを収納する穴に水抜き溝を設けたことを特徴とし、磁石ピン収納穴から雨水を水抜きできる。
【０００９】
この請求項４に記載された発明は、スライド部材の複数の磁石ピンを収納する穴の上部分には、その穴の径より大きい空間を設けたことを特徴とし、雨水が収納穴にはいても水抜き溝を通ってその空間に到って水抜きできる。
【００１０】
この請求項５に記載された発明は、スライド部材の複数の磁石ピンを収納する穴の底に、突起を設けたことを特徴とし，この突起は雨水が収納穴にはいても磁石ピンが穴底の表面に付着しないように表面張力等の付着力を働かなくさせる。
【発明の効果】
【００１１】
この発明によると、例え錠が打撃されても、常に先端部が使用中の施錠位置から横方向に移動すことが阻止されるように磁気ピンの少なくとも一つが支持されるので、衝撃により簡単に解錠されない。また、ロッキングプレ−トがスライド部材に向いた面に複数の突起を備えるので、特殊磁気ピンの頭部がスライドコア部材の穴周表面に係止するためにスライドコア部材の表面に段部を設ける必要がない。更に、カバ−プレ−トのスライド部材の磁石ピン収納穴に対向する面及びスライドコア部材の磁石ピン収納穴の底面にそれぞれ突起を形成しているので、磁石ピン頭部がカバ−プレ−トに付着することがなく、また磁石ピン底部がスライドコア部材の収納穴の底面に付着することがない。
【００１２】
この発明によると、スライド部材の複数の穴は同じ大きさと同じ形状であるから、頭部フランジを有する特殊ピンをどこの穴に入れても良く、複数の穴の一部でよい。錠内に雨水が入っても、磁石ピン収納穴から雨水を水抜きでき、そしてスライドコア部材磁石ピン収納穴の底面に突起を設けて、底表面に表面張力等の付着力を働かなくするので、磁石ピンの作動を阻害することはない。  
【発明を実施するための最良の形態】
【００１３】
次に、この発明は、図面に基づいて詳細に説明される。図１はシリンダ錠を分解した斜視図を示し、図２は正しいカ−ドキ−をシリンダ錠のスロットに挿入された状態であるスライド部材の側面図を示し、図３は図２の状態の断面斜視図を示し、図４は衝撃をシリンダ錠に加えて正しくないカ−ドで移動させようとした際のロック状態の側面図を示し、図５はカバ−プレ−ト、磁気ピン、ロックプレ−ト、スライダ部材を分解した斜視図を示し、図６は二重構造の特殊磁気ピンと普通磁気ピンの斜視図を示す。
【００１４】
図１はシリンダ錠を分解した斜視図を示し、シリンダ錠のハウジング７から磁気シ−ルドプレ−ト６、カバ−プレ−ト５、ロックプレ−ト２とスライダ部材１等の各部材が分解されている。
【００１５】
図２は正しいカ−ドキ−をシリンダ錠のスロットに挿入された状態であるスライド部材の側面図を示し、カ−ドキ−８がシリンダ錠のスロットに挿入されると、そのカ−ドキ−の磁力により磁気ピン３，４が反発してスライド部材１の孔１１に引き込められ、この状態では磁気ピン３，４の頭部はロックプレ−ト２の穴２１から離脱されている。それ故に、カ−ドキ−８をさらに図の左側へ移動すると、スライダ部材１がシリンダ錠底まで移動できる。カ−ドキ−８がばねの力に逆らって解錠状態まで移動されると、スライダ部材１がシリンダ錠ハウジング底まで移動され、ドアにおけるデットボルトを作動できて解錠状態となる。
【００１６】
図３は図２の状態の断面斜視図を示し、カ−ドキ−８がシリンダ錠のスロットに挿入されると、そのカ−ドキ−の磁力により磁気ピン３，４が反発してスライド部材１の孔１１に引き込められ、この状態では磁気ピン３，４の頭部はロックプレ−ト２の穴２１から離脱されている。この穴２１の周辺は傾斜勾配を備えている。なお、磁気ピン３，４がスライド部材１の孔１１に引き込められた状態では、このスライド部材１の孔１１の深さと磁気ピン３，４の縦方向、即ち長手方向の寸法がほぼ一致し、孔１１の上部分には広い空間１３が設けられているので、磁気ピン３のフランジ部３２がこの広い空間１３にはまり込み、磁気ピン３，４はスライド部材１の表面から突き出すことはない。
【００１７】
この場合には、磁気ピンは孔１１の底で支持されており、フランジ部３２はスライド部材１の表面には接触していない。更に、図では広い空間１３はスライド部材１の孔１１の全周に設けられているけれども、フランジ部３２の大きさと厚さ分の空間があれば、その他は全周にわたり広い空間１３を設ける必要はなく、孔周辺のところどころに広い空間１３を設ければ、磁気ピン３，４がスライド部材１の孔１１にセットされても、水抜きはできる。 
【００１８】
また、図２と図３を参照すると、スライド部材１の孔１１の底面には突起１４が設けられていて、この突起１４は、雨水が入ったりした際に、磁気ピンの底部が表面張力などで孔１１の底面に付着することを阻止する。更に、カバ−プレ−ト５はスライド部材１の磁気ピン３，４を収容する孔１１に対向する位置に、即ちロッキングプレ−ト２の複数の穴２１と対応する箇所に、突き出す突起５１を形成し、この突起５１は、雨水が入ったりした際に、磁気ピンの頭部が表面張力などでカバ−プレ−ト５に付着することを阻止する。
【００１９】
図４は衝撃をシリンダ錠に加えて正しくないカ−ドで移動させようとした際のロック状態の側面図を示し、衝撃をシリンダ錠に受けた場合にも、頭部にフランジ部３２を持つ特殊磁気ピン３は、ロッキングプレ−ト２の複数の穴２１とスライド部材１の孔１１に係止して、ロック状態を維持している。それ故に、このシリンダ錠では、衝撃をシリンダ錠に加えて正しくないカ−ドで解錠することはできない。
【００２０】
図５はカバ−プレ−ト、磁気ピン、ロックプレ−ト、スライダ部材を分解した斜視図を示し、スライダ部材１には、磁気ピン３，４を収容する多数の孔１１が設けられ、その孔１１の周辺に排水溝１２を設けている。さらに、孔１１の上部分には広い空間１３が設けられ、シリンダ錠に雨水が入ったりした際には、雨水がこの孔１１に入ると、磁気ピン３，４の作動がスム−ズでなくなるので、磁気ピン３，４がカ−ドキ−８の磁力により孔１１内を移動する時に、孔１１の排水溝１２により雨水が空間１３を通過して排水されて、磁気ピン３，４をスム−ズに作動できる。
【００２１】
図６は二重構造の特殊磁気ピン３と普通磁気ピン４の斜視図を示し、この特殊磁気ピン３は頭部にフランジ部３２を備えている。このような特殊磁気ピン３は公知であるけれども、普通の磁気ピン４に比べると、高価である。これら磁気ピン３、４は特殊ピンも、普通ピンも外径と長さの寸法は同じである
【００２２】
この発明のシリンダ錠では、スライド部材１が同じ形状と大きさの多数の孔１１を設けており、これら孔１１の適宜の箇所の少なくとも一個以上の箇所に特殊磁気ピン３を挿入すれば、衝撃をシリンダ錠に加えても安全にロック状態を維持できる。この孔１１が同じ形状と大きさであるので、特殊ピン３をどこの箇所に入れても良く、特殊ピン３を設定し易い。
【図面の簡単な説明】
【００２３】
【図１】シリンダ錠を分解した斜視図を示す。
【図２】正しいカ−ドキ−をシリンダ錠のスロットに挿入された状態であるスライド部材の側面図を示す。
【図３】図２の状態の断面斜視図を示す。
【図４】衝撃をシリンダ錠に加えて正しくないカ−ドで移動させようとした際のロック状態の側面図を示す。
【図５】カバ−プレ−ト、磁気ピン、ロックプレ−ト、スライダ部材を分解した斜視図を示す。
【図６】二重構造の特殊磁気ピンと普通磁気ピンの斜視図を示す。
【符号の説明】
【００２４】
１．．．．．スライド部材
１１．．．．ピン受け孔
１２．．．．排水溝
１３．．．．空間
２．．．．．ロッキングプレ−ト
２１．．．．係止穴
３．．．．．特殊磁気ピン
３２．．．．フランジ部
４．．．．．磁気ピン
５．．．．．カバ−プレ−ト
５１．．．．突起
６．．．．．磁気シ−ルドプレ−ト                                                ７．．．．．シリンダ錠のハウジング
８．．．．．カ−ドキ−
【図１】
2005226300.tif 000003
【図２】
2005226300.tif 000004
【図３】
2005226300.tif 000005
【図４】
2005226300.tif 000006
【図５】
2005226300.tif 000007
【図６】
2005226300.tif 000008